【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
表面反応炭酸カルシウムを製造するための方法であって、
ａ）炭酸カルシウム含有材料を提供するステップ、
ｂ）少なくとも１種のＨ３Ｏ＋イオン供与体を提供するステップ、
ｃ）少なくとも１種の水溶性金属カチオン源を提供するステップ、並びに
ｄ）ステップａ）の前記炭酸カルシウム含有材料をステップｂ）の前記少なくとも１種のＨ３Ｏ＋イオン供与体及び二酸化炭素で水性媒体中で処理し、表面反応炭酸カルシウムの水性懸濁液を形成するステップ
を含み、前記二酸化炭素は、Ｈ３Ｏ＋イオン供与体処理によってその場で形成され、及び／又は外部源から供給され、
ステップｃ）の前記少なくとも１種の水溶性金属カチオン源は、ステップｄ）中に添加される方法。
【請求項２】
炭酸カルシウム含有材料が、天然の粉砕炭酸カルシウム及び／又は沈降炭酸カルシウムである、請求項１に記載の方法。
【請求項３】
前記天然の粉砕炭酸カルシウムが、大理石、白亜、ドロマイト、石灰石及びそれらの混合物からなる群から選択され、並びに／又は前記沈降炭酸カルシウムが、アラゴナイト、バテライト若しくは方解石の結晶形を有する沈降炭酸カルシウム及びそれらの混合物からなる群から選択される請求項２に記載の方法。
【請求項４】
炭酸カルシウム含有材料が、０．０５〜１０μｍの重量中央粒径ｄ５０（重量）、及び／又は０．１５〜５５μｍのトップカット粒径ｄ９８（重量）を有する粒子の形態である、請求項１〜３のいずれか一項に記載の方法。
【請求項５】
炭酸カルシウム含有材料が、０．２〜５．０μｍの重量中央粒径ｄ５０（重量）、及び／又は１〜４０μｍのトップカット粒径ｄ９８（重量）を有する粒子の形態である、請求項４に記載の方法。
【請求項６】
少なくとも１種のＨ３Ｏ＋イオン供与体が、塩酸、硫酸、亜硫酸、リン酸、クエン酸、シュウ酸、酸性塩、酢酸、ギ酸及びそれらの混合物からなる群から選択される、請求項１〜５のいずれか一項に記載の方法。
【請求項７】
少なくとも１種のＨ３Ｏ＋イオン供与体が、塩酸、硫酸、亜硫酸、リン酸、シュウ酸、Ｌｉ＋、Ｎａ＋、及び／又はＫ＋から選択されるカチオンによって少なくとも部分的に中和されているＨ２ＰＯ４−、Ｌｉ＋、Ｎａ＋、Ｋ＋、Ｍｇ２＋、及び／又はＣａ２＋から選択されるカチオンにより少なくとも部分的に中和されているＨＰＯ４２−、並びにそれらの混合物からなる群から選択される、請求項６に記載の方法。
【請求項８】
炭酸カルシウム含有材料に対する少なくとも１種のＨ３Ｏ＋イオン供与体のモル比が、０．０１〜４である、請求項１〜７のいずれか一項に記載の方法。
【請求項９】
炭酸カルシウム含有材料に対する少なくとも１種のＨ３Ｏ＋イオン供与体のモル比が、０．０２〜２である、請求項８に記載の方法。
【請求項１０】
少なくとも１種の水溶性金属カチオン源が、水溶性金属塩、水溶性遷移金属錯体、水溶性金属水酸化物、水溶性金属酸化物及びそれらの混合物からなる群から選択される、請求項１〜９のいずれか一項に記載の方法。
【請求項１１】
前記少なくとも１種の水溶性金属カチオン源が、水溶性遷移金属塩、水溶性第ＩＩＩ族金属塩及びそれらの混合物からなる群から選択される、請求項１０に記載の方法。
【請求項１２】
少なくとも１種の水溶性金属カチオン源が、炭酸カルシウム含有材料の総重量に基づいて、０．０１から６０重量％の量で提供される、請求項１〜１１のいずれか一項に記載の方法。
【請求項１３】
少なくとも１種の水溶性金属カチオン源が、炭酸カルシウム含有材料の総重量に基づいて、０．０５〜５０重量％の量で提供される、請求項１２に記載の方法。
【請求項１４】
ステップｄ）において、炭酸カルシウム含有材料が、ステップｂ）の少なくとも１種のＨ３Ｏ＋イオン供与体及びステップｃ）の少なくとも１種の水溶性金属カチオン源を含む溶液で処理される、請求項１〜１３のいずれか一項に記載の方法。
【請求項１５】
ステップｄ）において、炭酸カルシウム含有材料が、ステップｂ）の少なくとも１種のＨ３Ｏ＋イオン供与体の第１の部分を含む第１の溶液で処理され、続いてステップｂ）の少なくとも１種のＨ３Ｏ＋イオン供与体の残りの部分及びステップｃ）の少なくとも１種の水溶性金属カチオン源を含む第２の溶液で処理される、請求項１〜１４のいずれか一項に記載の方法。
【請求項１６】
ステップｄ）が、２０〜９０℃の温度で行われる、請求項１〜１５のいずれか一項に記載の方法。
【請求項１７】
ステップｄ）が、３０〜８５℃の温度で行われる、請求項１６に記載の方法。
【請求項１８】
ステップｄ）において得られた水性懸濁液から表面反応炭酸カルシウムを分離するステップｅ）をさらに含む、請求項１〜１７のいずれか一項に記載の方法。
【請求項１９】
ステップｄ）の後、又は存在する場合にはステップｅ）の後に、６０〜６００℃の範囲内の温度で前記表面反応炭酸カルシウムを乾燥させるステップｆ）をさらに含む、請求項１〜１８のいずれか一項に記載の方法。
【請求項２０】
ステップｄ）の後、又は存在する場合にはステップｅ）の後に、表面反応炭酸カルシウムの含水量が乾燥した前記表面反応炭酸カルシウムの総重量に基づいて０．０１〜５重量％の間となるまで、６０〜６００℃の範囲内の温度で前記表面反応炭酸カルシウムを乾燥させるステップｆ）をさらに含む、請求項１９に記載の方法。
【請求項２１】
炭酸カルシウム含有材料が、天然の粉砕炭酸カルシウムであり、少なくとも１種のＨ３Ｏ＋イオン供与体が、リン酸であり、少なくとも１種の水溶性金属カチオン源が、硝酸銅、硫酸銅、酢酸銅、塩化銅、臭化銅、ヨウ化銅、硝酸亜鉛、硫酸亜鉛、酢酸亜鉛、塩化亜鉛、臭化亜鉛、ヨウ化亜鉛、それらの水和物及びそれらの混合物からなる群から選択され、ステップｄ）において、前記炭酸カルシウム含有材料が、ステップｂ）の前記少なくとも１種のＨ３Ｏ＋イオン供与体及びステップｃ）の前記少なくとも１種の水溶性金属カチオン源を含む溶液で処理される、請求項１〜２０のいずれか一項に記載の方法。
【請求項２２】
請求項１〜２１のいずれか一項に記載の方法によって得られる表面反応炭酸カルシウム。
【請求項２３】
表面反応炭酸カルシウムが、窒素及びＢＥＴ法を用いて測定して、１５ｍ２／ｇ〜２００ｍ２／ｇの比表面積を有する、請求項２２に記載の表面反応炭酸カルシウム。
【請求項２４】
表面反応炭酸カルシウムが、窒素及びＢＥＴ法を用いて測定して、２０ｍ２／ｇ〜１８０ｍ２／ｇの比表面積を有する、請求項２３に記載の表面反応炭酸カルシウム。
【請求項２５】
１〜７５μｍの体積測定中央粒径ｄ５０（体積）を有し、及び／又は２〜１５０μｍの体積測定トップカット粒径ｄ９８（体積）を有する、請求項２２〜２４のいずれか一項に記載の表面反応炭酸カルシウム。
【請求項２６】
２〜５０μｍの体積測定中央粒径ｄ５０（体積）を有し、及び／又は４〜１００μｍの体積測定トップカット粒径ｄ９８（体積）を有する、請求項２５に記載の表面反応炭酸カルシウム。
【請求項２７】
水銀多孔度測定から計算される、０．１〜２．３ｃｍ３／ｇの範囲内の粒子内侵入比細孔容積を有する、請求項２２〜２６のいずれか一項に記載の表面反応炭酸カルシウム。
【請求項２８】
水銀多孔度測定から計算される、０．２〜２．０ｃｍ３／ｇの範囲内の粒子内侵入比細孔容積を有する、請求項２７に記載の表面反応炭酸カルシウム。
【請求項２９】
水銀多孔度測定から決定される、０．００４〜１．６μｍの範囲内の粒子内細孔径を有する、請求項２２〜２８のいずれか一項に記載の表面反応炭酸カルシウム。
【請求項３０】
水銀多孔度測定から決定される、０．００５〜１．３μｍの範囲内の粒子内細孔径を有する、請求項２９に記載の表面反応炭酸カルシウム。
【請求項３１】
追加の表面反応炭酸カルシウムをさらに含み、前記追加の表面反応炭酸カルシウムが、天然粉砕炭酸カルシウム又は沈降炭酸カルシウムと二酸化炭素及び少なくとも１種のＨ３Ｏ＋イオン供与体との反応生成物であり、前記二酸化炭素が、Ｈ３Ｏ＋イオン供与体処理によってその場で形成される、及び／又は外部源から供給される、請求項２２〜３０のいずれか一項に記載の表面反応炭酸カルシウムを含む組成物。
【請求項３２】
保存剤としての、臭気の抑制のための、並びに／又は基材の抗菌活性の増強及び／若しくは媒介のための、請求項２２〜３０のいずれか一項に記載の表面反応炭酸カルシウム又は請求項３１に記載の組成物の使用。
【請求項３３】
金属カチオン放出剤としての、請求項２２〜３０のいずれか一項に記載の表面反応炭酸カルシウム又は請求項３１に記載の組成物の使用。
【請求項３４】
微量栄養素送達剤及び／又は植物保護製品としての、請求項２２〜３０のいずれか一項に記載の表面反応炭酸カルシウム又は請求項３１に記載の組成物の使用。
【請求項３５】
基材の導電性を増強するための、請求項２２〜３０のいずれか一項に記載の表面反応炭酸カルシウム又は請求項３１に記載の組成物の使用。
【請求項３６】
ポリマー用途、紙コーティング用途、製紙、塗料、コーティング、シーラント、印刷インク、接着剤、食品、飼料、医薬品、コンクリート、セメント、化粧品、水処理、再生木材用途、石膏ボード用途、包装用途及び／又は農業用途における、請求項２２〜３０のいずれか一項に記載の表面反応炭酸カルシウム又は請求項３１に記載の組成物の使用。
【請求項３７】
紙製品、再生木材製品、石膏ボード製品、ポリマー製品、衛生製品、医療製品、ヘルスケア製品、フィルタ製品、織物材料、不織物材料、ジオテキスタイル製品、農業製品、園芸製品、衣類、履物製品、手荷物製品、家庭用品、工業製品、包装製品、建築用製品及び建設用製品から選択される、請求項２２〜３０のいずれか一項に記載の表面反応炭酸カルシウム又は請求項３１に記載の組成物を含む物品。